(57)【要約】  本発明は、伸縮可能な位置制限構造であって、第１傾斜面が設けられる第１方向伸縮部材と、第２傾斜面が設けられる第２方向伸縮部材と、を含み、前記第１傾斜面は前記第２傾斜面に当接していることで、前記第１方向伸縮部材は第１方向に沿って伸縮するとき前記第２方向伸縮部材を第２方向に沿って伸縮させ、前記第２方向伸縮部材は張り出すとき位置制限構造を形成する伸縮可能な位置制限構造を提供する。本発明は更に伸縮可能な位置制限構造を有するカメラのボディ及びカメラを提供する。
2017517022.tif 000002
【特許請求の範囲】
【請求項１】
伸縮可能な位置制限構造体であって、
第１傾斜面が設けられる第１方向伸縮部材と、
第２傾斜面が設けられる第２方向伸縮部材と、を含み、
前記第１傾斜面は前記第２傾斜面に当接して、前記第１方向伸縮部材は第１方向に沿って伸縮するとき、前記第２方向伸縮部材を第２方向に沿って伸縮させ、前記第２方向伸縮部材は延出するとき位置制限構造を形成する、
ことを特徴とする伸縮可能な位置制限構造体。
【請求項２】
前記第１方向と第２方向は直交することを特徴とする請求項１に記載の伸縮可能な位置制限構造体。
【請求項３】
前記第１方向伸縮部材はボタンと第１弾性素子とを含み、前記第２方向伸縮部材は位置制限凸台と第２弾性素子とを含み、前記第１弾性素子は前記第１方向に沿って前記ボタンと前記位置制限凸台との間に配置され、前記第２弾性素子は前記第２方向に沿って前記位置制限凸台と連結することを特徴とする請求項１に記載の伸縮可能な位置制限構造体。
【請求項４】
前記位置制限凸台はホルダ、及び前記ホルダから突出する凸柱並びにシャフトロッドを含み、前記凸柱は前記位置制限構造を形成し、前記第２弾性素子は前記シャフトロッドを囲んで配置されることを特徴とする請求項３に記載の伸縮可能な位置制限構造体。
【請求項５】
前記ホルダは折れ曲がり形状であり、第１支持部と第２支持部とを含み、前記凸柱及びシャフトロッドは前記第１支持部の対向する２つの表面から垂直に延出し、且つ前記凸柱及びシャフトロッドは前記第２支持部の方向と平行であり、前記第１弾性素子は前記第１方向に沿って前記ボタンと前記第２支持部との間に配置されることを特徴とする請求項４に記載の伸縮可能な位置制限構造体。
【請求項６】
前記第２支持部の一部の両側にはそれぞれ内向きに位置制限部が設けられ、各前記位置制限部は対向する上凸台と下凸台とを有し、２つの前記位置制限部は共通の中央支持部を有し、２つの前記下凸台の表面はそれぞれ前記第２傾斜面を有し、前記ボタンはボタンブロックと前記ボタンブロックから延出する２つの止め部とを含み、前記第１弾性素子は前記第１方向に沿って前記ボタンブロックと前記中央支持部との間に配置され、２つの前記止め部にはそれぞれ前記第１傾斜面が形成されることを特徴とする請求項５に記載の伸縮可能な位置制限構造体。
【請求項７】
ボタンホルダを更に含み、前記ボタンホルダは本体と前記本体から延出する２つの係止爪を含み、各前記止め部は他方の前記止め部から離反するバンプを有し、前記バンプは前記ボタンブロックに向く係止面を有し、前記ボタンが第１方向に沿って伸縮するとき前記ボタンホルダから脱離しないように、前記係止爪は前記係止面を係止していることを特徴とする請求項６に記載の伸縮可能な位置制限構造体。
【請求項８】
レンズを装着するためのレンズ装着口が設けられた固定枠を含むカメラのボディであって、前記固定枠には更に伸縮可能な位置制限構造体が配置され、前記伸縮可能な位置制限構造体は第１方向伸縮部材と第２方向伸縮部材とを備え、
前記固定枠の外側壁には第１装着孔が内向きに設けられており、前記第１方向伸縮部材は前記第１装着孔により前記固定枠内に挿入されており、前記第１方向伸縮部材には第１傾斜面が設けられ、
前記固定枠の前記レンズ装着口の１つの端部には第２装着孔が設けられ、前記第２方向伸縮部材は前記第２装着孔により前記固定枠内に挿入されており、前記第２方向伸縮部材には第２傾斜面が設けられ、前記第１傾斜面は前記第２傾斜面に当接していることで、前記第１方向伸縮部材は第１方向に沿って伸縮するとき前記第２方向伸縮部材を第２方向に沿って伸縮させ、前記第２方向伸縮部材は延出するとき前記レンズを制限するための位置制限構造を形成することを特徴とするカメラのボディ。
【請求項９】
前記第１方向と第２方向は直交することを特徴とする請求項８に記載のカメラのボディ。
【請求項１０】
前記第１方向伸縮部材はボタンと第１弾性素子とを含み、前記第２方向伸縮部材は位置制限凸台と第２弾性素子とを含み、前記第１弾性素子は前記第１方向に沿って前記ボタンと前記位置制限凸台との間に配置され、前記第２弾性素子は前記第２方向に沿って前記位置制限凸台と連結するように配置されることを特徴とする請求項８に記載のカメラのボディ。
【請求項１１】
前記位置制限凸台はホルダ、及び前記ホルダから突出する凸柱並びにシャフトロッドを含み、前記凸柱は前記位置制限構造を形成し、前記第２弾性素子は前記シャフトロッドを囲んで配置されことを特徴とする請求項１０に記載のカメラのボディ。
【請求項１２】
前記ホルダは折れ曲がり形状であり、第１支持部と第２支持部とを含み、前記凸柱及びシャフトロッドは前記第１支持部の対向する２つの表面から垂直に延出し、且つ前記凸柱及びシャフトロッドは前記第２支持部の方向と平行であり、前記第１弾性素子は前記第１方向に沿って前記ボタンと前記第２支持部との間に配置されていることを特徴とする請求項１１に記載のカメラのボディ。
【請求項１３】
前記第２支持部の一部の両側にはそれぞれ内向きに位置制限部が設けられ、各前記位置制限部は対向する上凸台と下凸台とを有し、２つの前記位置制限部は共通の中央支持部を有し、２つの前記下凸台の表面はそれぞれ前記第２傾斜面を有し、前記ボタンはボタンブロックと前記ボタンブロックから延出する２つの止め部を含み、前記第１弾性素子は前記第１方向に沿って前記ボタンブロックと前記中央支持部との間に配置され、２つの前記止め部の底面にはそれぞれ前記第１傾斜面が形成されることを特徴とする請求項１２に記載のカメラのボディ。
【請求項１４】
ボタンホルダを更に含み、前記ボタンホルダは本体と前記本体から延出する２つの係止爪を含み、各前記止め部は他方の前記止め部から離反するバンプを有し、前記バンプは前記ボタンブロックに向く係止面を有し、前記ボタンが第１方向に沿って伸縮するとき前記ボタンホルダから脱離しないように、前記係止爪は前記係止面を係止していることを特徴とする請求項１３に記載のカメラのボディ。
【請求項１５】
前記レンズ装着口の内壁にはレンズ装着リングが設けられ、前記レンズ装着リングの内壁には前記レンズの外側のフランジと重なり係止するためのリブが設けられていることを特徴とする請求項８に記載のカメラのボディ。
【請求項１６】
カメラであって、請求項８〜１４のいずれか一項に記載のボディ、及び前記ボディと取り外し可能に連結しているレンズを含み、前記レンズは前記固定枠のレンズ装着口で取り外し可能に前記ボディと連結し、且つ伸縮可能な位置制限構造体により伸縮して位置制限されるカメラ。
【請求項１７】
前記レンズは鏡筒を有し、前記鏡筒は装着部を有し、前記装着部の外側壁にはフランジが設けられ、前記レンズ装着口にはレンズ装着リングが設けられ、前記レンズ装着リングの内壁にはリブが設けられ、前記レンズは前記レンズ装着リング内に装着された後回転することで前記フランジとリブを重なり係止させるように構成されていることを特徴とする請求項１６に記載のカメラ。
【請求項１８】
前記鏡筒の１つの端部には更に穴が内向きに設けられ、前記位置制限構造体は前記穴に挿入して位置制限するための凸柱を有することを特徴とする請求項１７に記載のカメラ。
【発明の詳細な説明】
【技術分野】
【０００１】
本発明は伸縮可能な位置制限構造体、及びこの伸縮可能な位置制限構造体を有するカメラのボディとカメラに関する。
【背景技術】
【０００２】
一眼レフカメラなどのカメラはレンズとボディを含み、レンズとボディは取り外しと交換が可能である。取り外し可能なレンズの脱落と回路接点の接触位置合わせずれを防止するために、伸縮可能な位置制限構造体を設計する必要がある。従来の伸縮可能な位置制限構造体の技術案はレンズをカメラの装着リングに回転して実装し、装着リングによりレンズを掛け、次にレンズによって位置制限構造体における可動凸台を解放してレンズ凹溝内に挿入し、使用中でのレンズの自由回転による脱落を防止する効果を果たす。
【０００３】
しかし、従来のレンズの解放ボタンブロックの押圧方式はレンズ軸方向に沿う方式であり、一般的なカメラにとっては使用上問題がないが、不便であり、特にカメラが可動プラットフォームにおいて使用される場合、レンズの着脱が更に不便になる。
【発明の概要】
【発明が解決しようとする課題】
【０００４】
本発明の実施例が主に解決しようとする課題は、位置制限される物体の回転と位置ずれ、および最終の脱落を防止すると同時に、物体の着脱を最適化し、例えば、レンズの取り外しと実装を容易にすることができる伸縮可能な位置制限構造体を提供することである。
【０００５】
本発明の実施例が主に解決しようとする他の課題は、レンズの回転と位置ずれ、及び最終の脱落を防止すると同時に、レンズの着脱を容易にすることができる、この伸縮可能な位置制限構造体を有するカメラのボディを提供することである。
【０００６】
本発明の実施例が主に解決しようとする他の課題は、レンズとボディを含み、この伸縮可能な位置制限構造体を有するカメラを提供することである。
【課題を解決するための手段】
【０００７】
一態様において、本発明の実施例は、伸縮可能な位置制限構造体であって、
第１傾斜面が設けられる第１方向伸縮部材と、
第２傾斜面が設けられる第２方向伸縮部材と、を含み、
前記第１傾斜面は前記第２傾斜面に当接していることで、前記第１方向伸縮部材は第１方向に沿って伸縮するとき前記第２方向伸縮部材を第２方向に沿って伸縮させ、前記第２方向伸縮部材は延出するとき位置制限構造を形成する伸縮可能な位置制限構造体を提供する。
【０００８】
更に、前記第１方向と第２方向は実質的に直交する。
【０００９】
更に、前記第１方向伸縮部材はボタンと第１弾性素子とを含み、前記第２方向伸縮部材は位置制限凸台と第２弾性素子とを含み、前記第１弾性素子は前記第１方向に沿って前記ボタンと前記位置制限凸台との間に配置され、前記第２弾性素子は前記第２方向に沿って前記位置制限凸台と連結するように配置されている。
【００１０】
更に、前記位置制限凸台はホルダ、及び前記ホルダから突出する凸柱並びにシャフトロッドを含み、前記凸柱は前記位置制限構造を形成し、前記第２弾性素子は前記シャフトロッドを囲んで配置されている。
【００１１】
更に、前記ホルダは折れ曲がり形状であり、第１支持部と第２支持部とを含み、前記凸柱及びシャフトロッドは前記第１支持部の対向する２つの表面から垂直に延出し、且つ前記凸柱及びシャフトロッドは前記第２支持部の方向と平行であり、前記第１弾性素子は前記第１方向に沿って前記ボタンと前記第２支持部との間に配置されている。
【００１２】
更に、前記第２支持部の一部の両側にはそれぞれ内向きに位置制限部が設けられ、各前記位置制限部は対向する上凸台と下凸台とを有し、２つの前記位置制限部は共通の中央支持部を有し、２つの前記下凸台の表面はそれぞれ前記第２傾斜面を有し、前記ボタンはボタンブロックと前記ボタンブロックから延出する２つの止め部とを含み、前記第１弾性素子は前記第１方向に沿って前記ボタンブロックと前記中央支持部との間に配置され、２つの前記止め部にはそれぞれ前記第１傾斜面が形成される。
【００１３】
更に、ボタンホルダを更に含み、前記ボタンホルダは本体と前記本体から延出する２つの係止爪を含み、各前記止め部は他方の前記止め部から離反するバンプを有し、前記バンプは前記ボタンブロックに向く係止面を有し、前記ボタンが第１方向に伸縮するとき前記ボタンホルダから脱離しないように、前記係止爪は前記係止面を係止している。
【００１４】
別の態様において、本発明の実施例は、レンズを装着するためのレンズ装着口が設けられた固定枠を含むカメラのボディであって、前記固定枠には更に伸縮可能な位置制限構造体が配置され、前記伸縮可能な位置制限構造体は第１方向伸縮部材と第２方向伸縮部材とを含み、
前記固定枠の外側壁には第１装着孔が内向きに設けられており、前記第１方向伸縮部材は前記第１装着孔により前記固定枠内に挿入されており、前記第１方向伸縮部材には第１傾斜面が設けられ、
前記固定枠の前記レンズ装着口の１つの端部には第２装着孔が設けられ、前記第２方向伸縮部材は前記第２装着孔により前記固定枠内に挿入されており、前記第２方向伸縮部材には第２傾斜面が設けられ、前記第１傾斜面は前記第２傾斜面に当接していることで、前記第１方向伸縮部材は第１方向に沿って伸縮するとき前記第２方向伸縮部材を第２方向に沿って伸縮させ、前記第２方向伸縮部材は延出するときレンズを制限するための位置制限構造体を形成するカメラのボディを提供する。
【００１５】
更に、前記レンズ装着口の内壁にはレンズ装着リングが設けられ、前記レンズ装着リングの内壁には前記レンズの外側のフランジと重なり係止するためのリブが設けられている。
【００１６】
また別の態様において、本発明の実施例は、カメラであって、上述のボディ、及び前記ボディと取り外し可能に連結しているレンズを含み、前記レンズは前記固定枠のレンズ装着口で取り外し可能に前記ボディと連結し、且つ伸縮可能な位置制限構造体により伸縮して位置制限されるカメラを提供する。
【００１７】
前記レンズは鏡筒を有し、前記鏡筒は突出する装着部を有し、前記装着部の外側壁にはフランジが設けられ、前記レンズ装着口にはレンズ装着リングが設けられ、前記レンズ装着リングの内壁にはリブが設けられ、前記レンズは前記レンズ装着リング内に装着されてから回転することで前記フランジとリブを重なり係止させるように構成されている。
【００１８】
前記鏡筒の１つの端部には更に穴が内向きに設けられ、前記位置制限構造体は前記穴に挿入して位置制限するための凸柱を有する。
【発明の効果】
【００１９】
本発明の実施例による伸縮可能な位置制限構造体の第１方向伸縮部材は、傾斜面の適合により第２方向伸縮部材を移動させる。例えば、片手でカメラの第２方向においてカメラを把持する場合、指は容易且つ安定的にレンズを押圧することができ、他方の片手は第１方向において伸縮部材を解放し、同じ方向における操作の妨害を回避することができる。本発明の実施例によるカメラのボディとカメラはレンズの回転と位置ずれ、及び最終の脱落を防止すると同時に、レンズを着脱しやすく、更に円滑に使用できる。
【図面の簡単な説明】
【００２０】
【図１】図１は、本発明の実施例による伸縮可能な位置制限構造体を示す立体図である。
【図２】図２は、図１における伸縮可能な位置制限構造体を示す分解図である。
【図３】図３は、本発明の実施例によるカメラのボディを示す部分分解立体図である。
【図４】図４は、図３のボディの断面図である。
【図５】図５は、本発明の実施例によるカメラのレンズとボディが分離する状態を示す立体図である。
【図６】図６は、装着された図５のレンズとボディの断面図である。
【発明を実施するための形態】
【００２１】
以下、図面を参照しながら、本発明の具体的な実施形態について詳細に説明する。
【００２２】
以下では、本発明の実施形態に係る添付図面を参照しながら、本発明の実施形態に係る技術的解決手段を明確かつ詳細に説明する。当然のことながら、ここで説明する実施形態は本発明の実施形態の全てではなく一部にすぎない。当業者が創造的な作業なしに本発明の実施形態に基づいて得る他の全ての実施形態は、本発明の保護範囲に含まれるべきである。
【００２３】
本発明の実施例による伸縮可能な位置制限構造体は１つの物体内に実装され、他の物体と適合することで、この他の物体の回転と脱離を防止する。この物体はカメラのボディとレンズであってもよいが、これらに限定されない。例えば、この伸縮可能な位置制限構造体はカメラのボディ内に実装され、レンズと適合することで、レンズの回転と最終の脱落を防止することができ、且つレンズの着脱を容易にする。このカメラはレンズを取り外し可能な普通のカメラであってもよく、結像の品質がよい一眼レフカメラであってもよく、又は特別用途のカメラ、例えば無人機に用いられる空撮用のカメラであってもよい。
【００２４】
具体的に、図１と図２に示すように、この伸縮可能な位置制限構造体１００はボタン１０と、ボタンホルダ２０と、位置制限凸台３０と、第１弾性素子４０と、第２弾性素子５０とを含む。以下では、カメラのボディをこの伸縮可能な位置制限構造体１００が配置される物体とし、レンズを位置制限される物体として、各部材及びそれらの使用方法を具体的に説明する。
【００２５】
このボタン１０はカメラのボディの側辺に移動可能に設けられる。このボタン１０はボタンブロック１２及びボタンブロック１２から延出する２つの止め部１４を含む。この２つの止め部１４はこのボタンブロック１２の同じ端面１２１から延出し、且つ両者の間に間隔を有する。各この止め部１４には第１傾斜面１４２が設けられ、本実施例において、この第１傾斜面１４２はこのボタンブロック１２の端面１２１からこの端面１２１に対して離れる方向へ傾斜し、即ち各この止め部１４はこの端面１２１と平行する方向における幅がこの端面１２１からこの端面１２１に対して離れる方向に向かって徐々に減少する。本実施例において、各この止め部１４は直角三角形であり、この止め部１４はこの第１傾斜面１４２と対向する上表面１４３を含み、この上表面１４３は平面である。各この止め部１４の端部にはバンプ１４４が設けられ、このバンプ１４４は他のこの止め部１４から離れるこの止め部１４の側面に位置し且つこの端面１２１から離れる止め部１４の端部に配置され、このバンプ１４４はこの端面１２１に向き合う係止面１４５を有する。本実施例において、この係止面１４５は平面である。
【００２６】
このボタンホルダ２０はカメラのボディ内に固定され、このボタン１０を係止して、このボタン１０をカメラのボディから脱離しないようにする。このボタンホルダ２０は本体２１、及び本体２１から延出する２つの係止爪２２を有する。この２つの係止爪２２は互いに一定の間隔をあけ、且つこの本体２１の主表面と略直交する。各係止爪２２はこのボタン１０の係止面１４５に係止されるようになる。
【００２７】
この位置制限凸台３０はカメラのボディ内に移動可能に配置され、且つ、カメラのレンズに向き合うこのボディの端面から突出しこのレンズの鏡筒内に嵌め込むための凸柱３１を有する。この位置制限凸台３０は更にホルダ３２及びシャフトロッド３３を含む。このホルダ３２は折れ曲がり形状であり、略直交する第１支持部３２１と第２支持部３２２を有する。この第１支持部３２１の１つの側には凸柱３１が直交して延び、他側にはシャフトロッド３３が直交して延び、且つこの凸柱３１とシャフトロッド３３はこの第２支持部３２２と互いに平行である。この第２支持部３２２は略中央の位置の両側にそれぞれ切り欠きが内向きに切り込まれ、両側の位置制限部３２３を形成する。この両側の位置制限部３２３はこの第２支持部３２２の両端を連結する中央支持部３２３ａを有し、且つ各位置制限部３２３は切り欠きの作用により中央支持部３２３ａに対して突出する上凸台３２３ｂと下凸台３２３ｃを形成する。この下凸台３２３ｃには第２傾斜面３２３ｆが設けられる。
【００２８】
この第１弾性素子４０はこのボタン１０の２つの止め部１４の間に設けられ、且つこの端面１２１とこの中央支持部３２３ａとの間に当接し、この位置制限凸台３０の中央支持部３２３ａはこの２つの止め部１４の間に収容される。この２つの止め部１４の傾斜する第１傾斜面１４２はこの位置制限凸台３０の下凸台３２３ｃの第２傾斜面３２３ｆに当接する。このボタンホルダ２０の係止爪２２はこのボタン１０の係止面１４５を係止する。この第２弾性素子５０はこの位置制限凸台３０のシャフトロッド３３を囲んで配置され、この第２弾性素子５０の１つの端部はこの第１支持部３２１の１つの側に当接し、他の端部はカメラのボディに設けられる孔の内壁に当接することに用いられる。ユーザーがこのボタン１０を押圧する場合、傾斜する第１傾斜面１４２に沿う作用力はこのボタン１０の端面１２１の方向に直交する押圧力とこの第２傾斜面３２３ｆを下向きに押す下方向の圧力に分解する。この下方向の圧力はこの位置制限凸台３０を、この第２弾性素子５０を圧縮する方向に向かって移動させて、凸柱３１をレンズから脱離させている。ユーザーがこのボタン１０を押圧しないとき、第１弾性素子４０と第２弾性素子５０の作用力のため、このボタン１０とこの位置制限凸台３０は自動的に跳ね返り、凸柱３１は突出してレンズ内に係入し、レンズの回転及び最終の脱落を防止する。このボタンホルダ２０の係止爪２２は、このボタン１０が跳ね返るときにこのカメラのボディから脱離することを防止できる。
【００２９】
図３と図４に示すように、本発明の実施例によるカメラのボディ２００は固定枠２１０を有し、この固定枠２１０内には回路基板などの組立部品が配置され、この固定枠２１０には伸縮可能な位置制限構造体１００とレンズ装着リング２３０が更に配置される。
【００３０】
この固定枠２１０の外側壁には内向きに第１装着孔２１４が設けられ、且つレンズを装着するための端部には内向きに第２装着孔２１２が設けられ、この伸縮可能な位置制限構造体１００のボタン１０、第１弾性素子４０及びボタンホルダ２０はこの第１装着孔２１４内に装着される。この伸縮可能な位置制限構造体１００の位置制限凸台３０と第２弾性素子５０はこの第２装着孔２１２内に装着される。この第１装着孔２１４とこの第２装着孔２１２は内部が連通することで、この位置制限凸台３０、このボタン１０及びこの第１弾性素子４０を相互に装着する。
【００３１】
具体的に、このボディ２００はこの第２装着孔２１２の内部において柱体２１６を有し、この柱体２１６の両側には段差面２１７が形成され、且つこの柱体２１６の中心には案内孔２１８が設けられる。このシャフトロッド３３はこの案内孔２１８内に挿入し、この第２弾性素子５０の端部はこの柱体２１６の両側における段差面２１７に当接する。この案内孔２１８とこのシャフトロッド３３の適合により、この位置制限凸台３０を移動中に傾斜させないようにする。
【００３２】
このレンズ装着リング２３０はレンズを装着するためのこの固定枠２１０の端部に配置され、この位置制限凸台３０の凸柱３１はこのレンズ装着リング２３０の位置決め孔２３０ａを通過してこのレンズ装着リング２３０に対して外向きに突出する。このレンズ装着リング２３０の内側には摺動溝２３４とリブ２３２が設けられ、レンズが摺動溝２３４にねじ込まれた後に回転してこのリブ２３２と鏡筒におけるフランジを重なり係止させ、レンズが軸方向に脱落することを防止する。同時に、この伸縮可能な位置制限構造体１００の凸柱３１は鏡筒の端部の穴内に嵌め込まれることで、レンズの回転を防止し、これによりレンズが最終的に軸方向にこのレンズ装着リング２３０から脱離することを防止する。
【００３３】
なお、カメラのボディ内にボディからのボタン１０の脱離を防止するための構造を有する場合、ボタンホルダ２０は必要なくなる。このボタンと第１弾性素子は第１方向伸縮部材を構成し、この位置制限凸台と第２弾性素子は第２方向伸縮部材を構成する。本実施例において、この第１方向と第２方向は略直交し、且つこの第１方向はボディと平行な半径方向であり、この第２方向はボディと平行な軸方向である。他の実施例において、この第１方向と第２方向は需要に応じて決定され、互いに直交しなくてもよい。
【００３４】
図５と図６に示すように、本発明の実施例によるカメラ３００は、ボディ２００とレンズ３５０を含む。このレンズ３５０の鏡筒３７０は装着部３７４を有し、この装着部３７４の外側壁にはフランジ３７２が設けられ、このフランジ３７２はこのレンズ装着リング２３０のリブ２３２と重なり係止して、レンズの軸方向における脱落を防止することに用いられる。この鏡筒３７０の１つの端部には、この伸縮可能な位置制限構造体１００の凸柱３１と適合するための穴３７６が内向きに設けられ、レンズの回転を防止することができ、これによりレンズが最終的に軸方向にこのレンズ装着リング２３０から脱離することを防止する。
【００３５】
レンズを取り外す必要がある場合、側面のボタン１０を押圧し、この押圧はこの位置制限凸台３０をこの固定枠２１０に近接する方向に移動させてレンズの穴３７６から脱離させ、同時にレンズ３５０を把持しボディ２００に対して回転させてこのレンズ装着リング２３０から脱離させることで、レンズ３５０はボディと分離することができる。
【００３６】
以上により、本発明の実施例による伸縮可能な位置制限構造体の第１方向伸縮部材は、傾斜面の適合により第２方向伸縮部材を移動させる。例えば、片手でカメラの第２方向においてカメラを把持する場合、指は容易且つ安定的にレンズを押圧することができ、他方の片手は第１方向において伸縮部材を解放し、同じ方向における作動を回避することができる。本発明の実施例によるカメラのボディとカメラはレンズの回転後の脱落と位置ずれを防止することができ、同時にレンズを着脱しやすく、更に円滑に使用できる。
【００３７】
以上の説明は本発明に係る実施形態にすぎず、本発明の特許保護範囲を限定するものではない。本発明の明細書及び添付図面によって作成したすべての同等の構造又は同等のフローの変更を、直接又は間接的に他の関連する技術分野に実施することは、いずれも同じ理由により本発明の特許保護範囲内に含まれるべきである。
【符号の説明】
【００３８】
１００  伸縮可能な位置制限構造体
１０  ボタン
２０  ボタンホルダ
３０  位置制限凸台
４０  第１弾性素子
５０  第２弾性素子
１２  ボタンブロック
１４  止め部
１２１  端面
１４２  第１傾斜面
１４３  上表面
１４４  バンプ
１４５  係止面
２１  本体
２２  係止爪
３１  凸柱
３２  ホルダ
３３  シャフトロッド
３２１  第１支持部
３２２  第２支持部
３２３  位置制限部
３２３ａ  中央支持部
３２３ｂ  上凸台
３２３ｃ  下凸台
３２３ｆ  第２傾斜面
２００  ボディ
２１０  固定枠
２３０  レンズ装着リング
２３０ａ  位置決め孔
２３２  リブ
２３４  摺動溝
２１４  第１装着孔
２１２  第２装着孔
２１６  柱体
２１７  段差面
２１８  案内孔
３００  カメラ
３５０  レンズ
３７０  鏡筒
３７２  フランジ
３７４  装着部
３７６  穴
【図１】
2017517022.tif 000003
【図２】
2017517022.tif 000004
【図３】
2017517022.tif 000005
【図４】
2017517022.tif 000006
【図５】
2017517022.tif 000007
【図６】
2017517022.tif 000008
【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
伸縮可能な位置制限構造体であって、
第１傾斜面が設けられる第１方向伸縮部材と、
第２傾斜面が設けられる第２方向伸縮部材と、を含み、
前記第１傾斜面は前記第２傾斜面に当接して、前記第１方向伸縮部材は第１方向に沿って伸縮するとき、前記第２方向伸縮部材を第２方向に沿って伸縮させ、前記第２方向伸縮部材は延出するとき位置制限構造を形成する、
ことを特徴とする伸縮可能な位置制限構造体。
【請求項２】
前記第１方向と第２方向は直交することを特徴とする請求項１に記載の伸縮可能な位置制限構造体。
【請求項３】
前記第１方向伸縮部材はボタンと第１弾性素子とを含み、前記第２方向伸縮部材は位置制限凸台と第２弾性素子とを含み、前記第１弾性素子は前記第１方向に沿って前記ボタンと前記位置制限凸台との間に配置され、前記第２弾性素子は前記第２方向に沿って前記位置制限凸台と連結することを特徴とする請求項１又は２に記載の伸縮可能な位置制限構造体。
【請求項４】
前記位置制限凸台はホルダ、及び前記ホルダから突出する凸柱並びにシャフトロッドを含み、前記凸柱は前記位置制限構造を形成し、前記第２弾性素子は前記シャフトロッドを囲んで配置されることを特徴とする請求項３に記載の伸縮可能な位置制限構造体。
【請求項５】
前記ホルダは折れ曲がり形状であり、第１支持部と第２支持部とを含み、前記凸柱及びシャフトロッドは前記第１支持部の対向する２つの表面から垂直に延出し、且つ前記凸柱及びシャフトロッドは前記第２支持部の方向と平行であり、前記第１弾性素子は前記第１方向に沿って前記ボタンと前記第２支持部との間に配置されることを特徴とする請求項４に記載の伸縮可能な位置制限構造体。
【請求項６】
前記第２支持部の一部の両側にはそれぞれ内向きに位置制限部が設けられ、各前記位置制限部は対向する上凸台と下凸台とを有し、２つの前記位置制限部は共通の中央支持部を有し、２つの前記下凸台の表面はそれぞれ前記第２傾斜面を有し、前記ボタンはボタンブロックと前記ボタンブロックから延出する２つの止め部とを含み、前記第１弾性素子は前記第１方向に沿って前記ボタンブロックと前記中央支持部との間に配置され、２つの前記止め部にはそれぞれ前記第１傾斜面が形成されることを特徴とする請求項５に記載の伸縮可能な位置制限構造体。
【請求項７】
ボタンホルダを更に含み、前記ボタンホルダは本体と前記本体から延出する２つの係止爪を含み、各前記止め部は他方の前記止め部から離反するバンプを有し、前記バンプは前記ボタンブロックに向く係止面を有し、前記ボタンが第１方向に沿って伸縮するとき前記ボタンホルダから脱離しないように、前記係止爪は前記係止面を係止していることを特徴とする請求項６に記載の伸縮可能な位置制限構造体。
【請求項８】
レンズを装着するためのレンズ装着口が設けられた固定枠を含むカメラのボディであって、前記固定枠には更に伸縮可能な位置制限構造体が配置され、前記伸縮可能な位置制限構造体は第１方向伸縮部材と第２方向伸縮部材とを備え、
前記固定枠の外側壁には第１装着孔が内向きに設けられており、前記第１方向伸縮部材は前記第１装着孔により前記固定枠内に挿入されており、前記第１方向伸縮部材には第１傾斜面が設けられ、
前記固定枠の前記レンズ装着口の１つの端部には第２装着孔が設けられ、前記第２方向伸縮部材は前記第２装着孔により前記固定枠内に挿入されており、前記第２方向伸縮部材には第２傾斜面が設けられ、前記第１傾斜面は前記第２傾斜面に当接していることで、前記第１方向伸縮部材は第１方向に沿って伸縮するとき前記第２方向伸縮部材を第２方向に沿って伸縮させ、前記第２方向伸縮部材は延出するとき前記レンズを制限するための位置制限構造を形成することを特徴とするカメラのボディ。
【請求項９】
前記第１方向と第２方向は直交することを特徴とする請求項８に記載のカメラのボディ。
【請求項１０】
前記第１方向伸縮部材はボタンと第１弾性素子とを含み、前記第２方向伸縮部材は位置制限凸台と第２弾性素子とを含み、前記第１弾性素子は前記第１方向に沿って前記ボタンと前記位置制限凸台との間に配置され、前記第２弾性素子は前記第２方向に沿って前記位置制限凸台と連結するように配置されることを特徴とする請求項８又は９に記載のカメラのボディ。
【請求項１１】
前記位置制限凸台はホルダ、及び前記ホルダから突出する凸柱並びにシャフトロッドを含み、前記凸柱は前記位置制限構造を形成し、前記第２弾性素子は前記シャフトロッドを囲んで配置されことを特徴とする請求項１０に記載のカメラのボディ。
【請求項１２】
前記ホルダは折れ曲がり形状であり、第１支持部と第２支持部とを含み、前記凸柱及びシャフトロッドは前記第１支持部の対向する２つの表面から垂直に延出し、且つ前記凸柱及びシャフトロッドは前記第２支持部の方向と平行であり、前記第１弾性素子は前記第１方向に沿って前記ボタンと前記第２支持部との間に配置されていることを特徴とする請求項１１に記載のカメラのボディ。
【請求項１３】
前記第２支持部の一部の両側にはそれぞれ内向きに位置制限部が設けられ、各前記位置制限部は対向する上凸台と下凸台とを有し、２つの前記位置制限部は共通の中央支持部を有し、２つの前記下凸台の表面はそれぞれ前記第２傾斜面を有し、前記ボタンはボタンブロックと前記ボタンブロックから延出する２つの止め部を含み、前記第１弾性素子は前記第１方向に沿って前記ボタンブロックと前記中央支持部との間に配置され、２つの前記止め部の底面にはそれぞれ前記第１傾斜面が形成されることを特徴とする請求項１２に記載のカメラのボディ。
【請求項１４】
ボタンホルダを更に含み、前記ボタンホルダは本体と前記本体から延出する２つの係止爪を含み、各前記止め部は他方の前記止め部から離反するバンプを有し、前記バンプは前記ボタンブロックに向く係止面を有し、前記ボタンが第１方向に沿って伸縮するとき前記ボタンホルダから脱離しないように、前記係止爪は前記係止面を係止していることを特徴とする請求項１３に記載のカメラのボディ。
【請求項１５】
前記レンズ装着口の内壁にはレンズ装着リングが設けられ、前記レンズ装着リングの内壁には前記レンズの外側のフランジと重なり係止するためのリブが設けられていることを特徴とする請求項８〜１４のいずれか一項に記載のカメラのボディ。
【請求項１６】
カメラであって、請求項８〜１５のいずれか一項に記載のボディ、及び前記ボディと取り外し可能に連結しているレンズを含み、前記レンズは前記固定枠のレンズ装着口で取り外し可能に前記ボディと連結し、且つ伸縮可能な位置制限構造体により伸縮して位置制限されるカメラ。
【請求項１７】
前記レンズは鏡筒を有し、前記鏡筒は装着部を有し、前記装着部の外側壁にはフランジが設けられ、前記レンズ装着口にはレンズ装着リングが設けられ、前記レンズ装着リングの内壁にはリブが設けられ、前記レンズは前記レンズ装着リング内に装着された後回転することで前記フランジとリブを重なり係止させるように構成されていることを特徴とする請求項１６に記載のカメラ。
【請求項１８】
前記鏡筒の１つの端部には更に穴が内向きに設けられ、前記位置制限構造体は前記穴に挿入して位置制限するための凸柱を有することを特徴とする請求項１７に記載のカメラ。
【国際調査報告】
2017517022.tif 000009
2017517022.tif 000010
2017517022.tif 000011
2017517022.tif 000012